(57)【要約】【課題】電子会議における説明の利便性を向上させる画像表示装置、画像表示方法、及び画像表示プログラムを提供する。【解決手段】共有表示手段５２は、距離判定手段５６により他の画像表示装置１０から入力された入力情報と、自機における入力受付手段５０により入力されている入力情報との表示装置２２の表示領域に関する相対距離が、予め定められた閾値未満であると判定される場合には、他の画像表示装置１０から入力された入力情報を表示装置２２における共有表示に反映する表示タイミングを遅延させるものであることから、自機において共有表示に係る入力情報の入力を行っている最中に、他の画像表示装置１０において同様に入力情報の入力が行われた場合であっても、表示装置２２における同じ位置にそれらの入力情報が重複して表示されるのを好適に抑制することができる。【選択図】図３
2012044423.tif 000002
【特許請求の範囲】
【請求項１】
画像を表示させる表示部と、入力操作を受け付ける操作部と、他の画像表示装置との間で情報の送受信を行う通信部とを、備えた画像表示装置であって、
前記表示部の表示領域に対する位置の要素を有する入力情報を前記操作部により受け付ける入力受付手段と、
該入力受付手段により入力された入力情報を前記通信部を介して他の画像表示装置との間で共有し、前記表示部に該入力情報を共有表示させる共有表示手段と、
該共有表示手段の共有表示に係る入力情報が自機における前記入力受付手段により入力されている際に、他の画像表示装置から前記共有表示手段の共有表示に係る入力情報の入力があったか否かを判定する入力判定手段と、
該入力判定手段の判定が肯定される場合に、前記他の画像表示装置から入力された入力情報と、自機における前記入力受付手段により入力されている入力情報との前記表示部の表示領域に関する相対距離が、予め定められた閾値未満であるか否かを判定する距離判定手段と
を、備え、
前記共有表示手段は、該距離判定手段の判定が肯定される場合には、前記他の画像表示装置から入力された入力情報を前記表示部における共有表示に反映する表示タイミングを遅延させるものである
ことを特徴とする画像表示装置。
【請求項２】
前記共有表示手段は、前記距離判定手段の判定が肯定される場合には、自機における前記入力受付手段による入力情報の入力が終了するまで該入力情報を前記表示部における共有表示に反映する表示タイミングを遅延させるものである請求項１に記載の画像表示装置。
【請求項３】
前記共有表示手段は、単一の画像表示装置から供給された表示情報を前記複数の画像表示装置における前記表示部に共有表示させると共に、該表示情報を基礎として前記入力情報の共有表示を行うものであり、
前記距離判定手段は、前記判定に係る入力情報のうち先に入力された入力情報が前記表示情報を供給する単一の画像表示装置からの入力情報である場合には、該単一の画像表示装置からの入力情報ではない場合よりも前記閾値を大きくするものである請求項１又は２に記載の画像表示装置。
【請求項４】
前記入力受付手段は、前記入力情報として前記表示部の表示領域に対する座標の入力を受け付けるものであり、
前記距離判定手段は、前記入力判定手段の判定が肯定される場合に、前記他の画像表示装置から入力された入力情報に対応する座標と、自機における前記入力受付手段によりその時点において入力されている入力情報に対応する座標との相対距離が、予め定められた閾値未満であるか否かを判定するものである
請求項１から３の何れか１項に記載の画像表示装置。
【請求項５】
前記共有表示手段は、単一の画像表示装置から供給された表示情報を前記複数の画像表示装置における前記表示部に共有表示させると共に、該表示情報を基礎として前記入力情報の共有表示を行うものであり、
前記共有表示手段は、前記距離判定手段の判定が肯定される場合における表示タイミングの遅延制御を、自機が前記表示情報を供給する単一の画像表示装置である場合に実行する一方、自機が該単一の画像表示装置ではない場合には非実行とするものである
請求項１から４の何れか１項に記載の画像表示装置。
【請求項６】
前記共有表示手段により前記他の画像表示装置から入力された入力情報を前記表示部における共有表示に反映する表示タイミングを遅延させる制御が行われている間に、該入力情報に対応して設定された表示態様とは異なる態様で前記表示部において該入力情報の仮表示を行う仮表示手段を備えたものである
請求項１から５の何れか１項に記載の画像表示装置。
【請求項７】
画像を表示させる表示部と、入力操作を受け付ける操作部と、他の画像表示装置との間で情報の送受信を行う通信部とを、備えた画像表示装置における画像表示方法であって、
前記表示部の表示領域に対する位置の要素を有する入力情報を前記操作部により受け付ける入力受付過程と、
該入力受付過程において入力された入力情報を前記通信部を介して他の画像表示装置との間で共有し、前記表示部に該入力情報を共有表示させる共有表示過程と、
該共有表示過程の共有表示に係る入力情報が自機に係る前記入力受付過程において入力されている際に、他の画像表示装置から前記共有表示過程の共有表示に係る入力情報の入力があったか否かを判定する入力判定過程と、
該入力判定過程の判定が肯定される場合に、前記他の画像表示装置から入力された入力情報と、自機における前記入力受付過程において入力されている入力情報との前記表示部の表示領域に関する相対距離が、予め定められた閾値未満であるか否かを判定する距離判定過程と
を、含み、
前記共有表示過程は、該距離判定過程の判定が肯定される場合には、前記他の画像表示装置から入力された入力情報を前記表示部における共有表示に反映する表示タイミングを遅延させる
ことを特徴とする画像表示方法。
【請求項８】
画像を表示させる表示部と、入力操作を受け付ける操作部と、他の画像表示装置との間で情報の送受信を行う通信部とを、備えた画像表示装置における制御装置を、
前記表示部の表示領域に対する位置の要素を有する入力情報を前記操作部により受け付ける入力受付手段、
該入力受付手段により入力された入力情報を前記通信部を介して他の画像表示装置との間で共有し、前記表示部に該入力情報を共有表示させる共有表示手段、
該共有表示手段の共有表示に係る入力情報が自機における前記入力受付手段により入力されている際に、他の画像表示装置から前記共有表示手段の共有表示に係る入力情報の入力があったか否かを判定する入力判定手段、
及び該入力判定手段の判定が肯定される場合に、前記他の画像表示装置から入力された入力情報と、自機における前記入力受付手段により入力されている入力情報との前記表示部の表示領域に関する相対距離が、予め定められた閾値未満であるか否かを判定する距離判定手段
として機能させるものであり、
前記共有表示手段は、該距離判定手段の判定が肯定される場合には、前記他の画像表示装置から入力された入力情報を前記表示部における共有表示に反映する表示タイミングを遅延させるものである
ことを特徴とする画像表示プログラム。
【発明の詳細な説明】
【技術分野】
【０００１】
本発明は、画像を表示させる表示部を備えた画像表示装置、画像表示方法、及び画像表示プログラムの改良に関する。
【背景技術】
【０００２】
画像を表示させる表示部を備えた画像表示装置が知られている。例えば、画像を表示させると共に利用者の接触に応じて入力を行うタッチパネルディスプレイを備えた画像表示装置がそれである。また、複数の画像表示装置相互間で画像等の情報を送受信することによりそれら複数の画像表示装置における表示部に入力情報等を共有表示させ、所謂電子会議を実現する技術が提案されている。例えば、特許文献１に記載された電子会議システムがそれである。
【先行技術文献】
【特許文献】
【０００３】
【特許文献１】特開２００３−２８１１０１号公報
【発明の概要】
【発明が解決しようとする課題】
【０００４】
しかし、前記従来の技術において、例えば所定の画像表示装置において情報の入力を行っている最中に、他の画像表示装置において同様に情報の入力が行われた場合、表示部における同じ位置にそれらの入力情報が重複して表示される弊害があった。特に、単一の画像表示装置から供給された表示情報（資料情報）を複数の画像表示装置における表示部に共有表示させる形態の電子会議においては、その表示情報を提供した画像表示装置における利用者が主体的に説明を行うことが考えられるが、説明に係る情報に他の画像表示装置からの入力情報が重複して表示されることで説明し難くなるという不具合があった。このため、電子会議における説明の利便性を向上させる画像表示装置、画像表示方法、及び画像表示プログラムの開発が求められていた。
【０００５】
本発明は、以上の事情を背景として為されたものであり、その目的とするところは、電子会議における説明の利便性を向上させる画像表示装置、画像表示方法、及び画像表示プログラムを提供することにある。
【課題を解決するための手段】
【０００６】
斯かる目的を達成するために、本第１発明の要旨とするところは、画像を表示させる表示部と、入力操作を受け付ける操作部と、他の画像表示装置との間で情報の送受信を行う通信部とを、備えた画像表示装置であって、前記表示部の表示領域に対する位置の要素を有する入力情報を前記操作部により受け付ける入力受付手段と、その入力受付手段により入力された入力情報を前記通信部を介して他の画像表示装置との間で共有し、前記表示部にその入力情報を共有表示させる共有表示手段と、その共有表示手段の共有表示に係る入力情報が自機における前記入力受付手段により入力されている際に、他の画像表示装置から前記共有表示手段の共有表示に係る入力情報の入力があったか否かを判定する入力判定手段と、その入力判定手段の判定が肯定される場合に、前記他の画像表示装置から入力された入力情報と、自機における前記入力受付手段により入力されている入力情報との前記表示部の表示領域に関する相対距離が、予め定められた閾値未満であるか否かを判定する距離判定手段とを、備え、前記共有表示手段は、その距離判定手段の判定が肯定される場合には、前記他の画像表示装置から入力された入力情報を前記表示部における共有表示に反映する表示タイミングを遅延させることを特徴とするものである。
【０００７】
また、前記目的を達成するために、本第２発明の要旨とするところは、画像を表示させる表示部と、入力操作を受け付ける操作部と、他の画像表示装置との間で情報の送受信を行う通信部とを、備えた画像表示装置における画像表示方法であって、前記表示部の表示領域に対する位置の要素を有する入力情報を前記操作部により受け付ける入力受付過程と、その入力受付過程において入力された入力情報を前記通信部を介して他の画像表示装置との間で共有し、前記表示部にその入力情報を共有表示させる共有表示過程と、その共有表示過程の共有表示に係る入力情報が自機に係る前記入力受付過程において入力されている際に、他の画像表示装置から前記共有表示過程の共有表示に係る入力情報の入力があったか否かを判定する入力判定過程と、その入力判定過程の判定が肯定される場合に、前記他の画像表示装置から入力された入力情報と、自機における前記入力受付過程において入力されている入力情報との前記表示部の表示領域に関する相対距離が、予め定められた閾値未満であるか否かを判定する距離判定過程とを、含み、前記共有表示過程は、その距離判定過程の判定が肯定される場合には、前記他の画像表示装置から入力された入力情報を前記表示部における共有表示に反映する表示タイミングを遅延させることを特徴とするものである。
【０００８】
また、前記目的を達成するために、本第３発明の要旨とするところは、画像を表示させる表示部と、入力操作を受け付ける操作部と、他の画像表示装置との間で情報の送受信を行う通信部とを、備えた画像表示装置における制御装置を、前記表示部の表示領域に対する位置の要素を有する入力情報を前記操作部により受け付ける入力受付手段、その入力受付手段により入力された入力情報を前記通信部を介して他の画像表示装置との間で共有し、前記表示部にその入力情報を共有表示させる共有表示手段、その共有表示手段の共有表示に係る入力情報が自機における前記入力受付手段により入力されている際に、他の画像表示装置から前記共有表示手段の共有表示に係る入力情報の入力があったか否かを判定する入力判定手段、及びその入力判定手段の判定が肯定される場合に、前記他の画像表示装置から入力された入力情報と、自機における前記入力受付手段により入力されている入力情報との前記表示部の表示領域に関する相対距離が、予め定められた閾値未満であるか否かを判定する距離判定手段として機能させるものであり、前記共有表示手段は、その距離判定手段の判定が肯定される場合には、前記他の画像表示装置から入力された入力情報を前記表示部における共有表示に反映する表示タイミングを遅延させるものであることを特徴とする画像表示プログラムである。
【発明の効果】
【０００９】
このように、前記第１発明によれば、自機において共有表示に係る入力情報の入力を行っている最中に、他の画像表示装置において同様に入力情報の入力が行われた場合であっても、前記表示部における同じ位置にそれらの入力情報が重複して表示されるのを好適に抑制することができる。すなわち、電子会議における説明の利便性を向上させる画像表示装置を提供することができる。
【００１０】
ここで、前記第１発明において、好適には、前記共有表示手段は、前記距離判定手段の判定が肯定される場合には、自機における前記入力受付手段による入力情報の入力が終了するまでその入力情報を前記表示部における共有表示に反映する表示タイミングを遅延させるものである。このようにすれば、他の画像表示装置による入力情報を好適なタイミングで自機の表示部に表示させることができる。
【００１１】
また、好適には、前記共有表示手段は、単一の画像表示装置から供給された表示情報を前記複数の画像表示装置における前記表示部に共有表示させると共に、その表示情報を基礎として前記入力情報の共有表示を行うものであり、前記距離判定手段は、前記判定に係る入力情報のうち先に入力された入力情報が前記表示情報を供給する単一の画像表示装置からの入力情報である場合には、その単一の画像表示装置からの入力情報ではない場合よりも前記閾値を大きくするものである。このようにすれば、主体的に説明を行う利用者による入力情報の入力が先に行われた場合において、その入力情報に他の画像表示装置からの入力情報が重複するのを好適に抑制することができる。
【００１２】
また、好適には、前記入力受付手段は、前記入力情報として前記表示部の表示領域に対する座標の入力を受け付けるものであり、前記距離判定手段は、前記入力判定手段の判定が肯定される場合に、前記他の画像表示装置から入力された入力情報に対応する座標と、自機における前記入力受付手段によりその時点において入力されている入力情報に対応する座標との相対距離が、予め定められた閾値未満であるか否かを判定するものである。このようにすれば、自機において共有表示に係る入力情報の入力を行っている最中に、他の画像表示装置において入力された入力情報が重複して表示されるのを実用的な態様で好適に抑制することができる。
【００１３】
また、好適には、前記共有表示手段は、単一の画像表示装置から供給された表示情報を前記複数の画像表示装置における前記表示部に共有表示させると共に、その表示情報を基礎として前記入力情報の共有表示を行うものであり、前記共有表示手段は、前記距離判定手段の判定が肯定される場合における表示タイミングの遅延制御を、自機が前記表示情報を供給する単一の画像表示装置である場合に実行する一方、自機がその単一の画像表示装置ではない場合には非実行とするものである。このようにすれば、主体的に説明を行う利用者による入力情報の入力が行われている場合において、その入力情報に他の画像表示装置からの入力情報が重複するのを好適に抑制することができる。
【００１４】
また、好適には、前記共有表示手段により前記他の画像表示装置から入力された入力情報を前記表示部における共有表示に反映する表示タイミングを遅延させる制御が行われている間に、その入力情報に対応して設定された表示態様とは異なる態様で前記表示部においてその入力情報の仮表示を行う仮表示手段を備えたものである。このようにすれば、自機において共有表示に係る入力情報の入力を行っている最中に、他の画像表示装置において同様に入力情報の入力が行われた場合に、その入力情報の色を淡くして表示させたり、線幅を細くする或いは破線にする等の態様の変更を行った仮表示を実行することで、自機における入力情報の視認性を確保しつつ他の画像表示装置からの入力情報を一応確認することができる。
【００１５】
また、前記第２発明によれば、自機において共有表示に係る入力情報の入力を行っている最中に、他の画像表示装置において同様に入力情報の入力が行われた場合であっても、前記表示部における同じ位置にそれらの入力情報が重複して表示されるのを好適に抑制することができる。すなわち、電子会議における説明の利便性を向上させる画像表示方法を提供することができる。
【００１６】
また、前記第３発明によれば、自機において共有表示に係る入力情報の入力を行っている最中に、他の画像表示装置において同様に入力情報の入力が行われた場合であっても、前記表示部における同じ位置にそれらの入力情報が重複して表示されるのを好適に抑制することができる。すなわち、電子会議における説明の利便性を向上させる画像表示プログラムを提供することができる。
【図面の簡単な説明】
【００１７】
【図１】本発明の一実施例である画像表示装置の外観の概要を示す図である。
【図２】図１の画像表示装置に備えられた構成を説明するブロック線図である。
【図３】図１の画像表示装置の制御部に備えられた制御機能の要部を説明する機能ブロック線図である。
【図４】図１の画像表示装置の記憶部に備えられた入力情報データベースに記憶される情報の一例を示す図である。
【図５】図４の入力情報データベースに記憶される情報に対応してＲＡＭに一時的に記憶される情報を例示する図である。
【図６】本実施例の共有表示制御において図１の画像表示装置のタッチパネルディスプレイに表示情報としての電子文書が表示された様子を説明する図である。
【図７】本実施例の共有表示制御において図６に示す電子文書に手書き入力によるストローク情報が上書きされる様子を説明する図である。
【図８】本実施例の共有表示制御における距離の判定に係る他の画像表示装置から受信された座標情報と、自機において入力されている入力情報に対応する座標情報との相対距離について説明する図である。
【図９】図８の座標に対応する２点間距離の算出について説明する図である。
【図１０】本実施例の共有表示制御に係る表示タイミングの遅延制御の概略を説明する図である。
【図１１】本実施例の共有表示制御において、ホストである画像表示装置による書き込みが先に行われ、それに続いてゲストである画像表示装置による書き込みが行われた場合における距離判定乃至表示タイミングの遅延制御について説明する図であり、ホストである画像表示装置の動作を示している。
【図１２】本実施例の共有表示制御において、ホストである画像表示装置による書き込みが先に行われ、それに続いてゲストである画像表示装置による書き込みが行われた場合における距離判定乃至表示タイミングの遅延制御について説明する図であり、ゲストである画像表示装置の動作を示している。
【図１３】本実施例の共有表示制御において、ホストである画像表示装置による書き込みが先に行われ、それに続いてゲストである画像表示装置による書き込みが行われた場合における距離判定乃至表示タイミングの遅延制御について説明する図であり、ゲストである画像表示装置の動作を示している。
【図１４】本実施例の共有表示制御において、ゲストである画像表示装置による書き込みが先に行われ、それに続いてホストである画像表示装置による書き込みが行われた場合における距離判定乃至表示タイミングの遅延制御について説明する図であり、ホストである画像表示装置の動作を示している。
【図１５】本実施例の共有表示制御において、ゲストである画像表示装置による書き込みが先に行われ、それに続いてホストである画像表示装置による書き込みが行われた場合における距離判定乃至表示タイミングの遅延制御について説明する図であり、ゲストである画像表示装置の動作を示している。
【図１６】本実施例の共有表示制御において、ゲストである画像表示装置による書き込みが先に行われ、それに続いてホストである画像表示装置による書き込みが行われた場合における距離判定乃至表示タイミングの遅延制御について説明する図であり、ゲストである画像表示装置の動作を示している。
【図１７】図１の画像表示装置の制御部による共有表示制御の要部を説明するフローチャートである。
【図１８】図１７における制御の一部である描画演算制御の要部を説明するフローチャートである。
【図１９】図１７の制御と併行して実行される、図１の画像表示装置の制御部による共有表示制御に係る入力情報の送信制御の要部を説明するフローチャートである。
【発明を実施するための形態】
【００１８】
以下、本発明の好適な実施例を図面に基づいて詳細に説明する。
【実施例】
【００１９】
図１は、本発明の一実施例である画像表示装置１０の外観の概要を示す図である。また、図２は、斯かる画像表示装置１０に備えられた構成を説明するブロック線図である。これらの図に示すように、本実施例の画像表示装置１０は、所定の画像（映像）を表示させると共に、利用者の接触操作に応じて入力を行うためのタッチパネルディスプレイ１２を備えている。また、図２に示すように、画像表示装置１０による画像表示制御をはじめとする各種制御を実行する制御部１４と、複数の画像情報（画像ファイル）等、各種情報を記憶する記憶部１６と、例えばパーソナルコンピュータ４０等の他の機器との間で情報の送受信を行う通信部としての通信インターフェイス１８とを、備えて構成されている。また、好適には、図１に示すように、画像表示装置１０にはタッチパネルディスプレイ１２に対する入力子としてのペン２０等が備えられている。
【００２０】
図２に示すように、タッチパネルディスプレイ１２は、そのタッチパネルディスプレイ１２に所定の映像を表示させる表示部（ディスプレイ）としての表示装置２２と、利用者の指や備え付けのペン２０等によるタッチパネルディスプレイ１２への接触により入力を行う操作部としてのタッチパネル２４とを、備えて構成されている。また、画像表示装置１０には、表示装置２２による画像（映像）の表示制御を行う表示制御部２６と、タッチパネル２４により入力される入力情報を処理する入力制御部２８とが備えられており、それら表示制御部２６及び入力制御部２８により表示装置２２及びタッチパネル２４を介してタッチパネルディスプレイ１２による画像表示制御乃至情報入力制御が実行される。
【００２１】
また、図２に示すように、制御部１４は、中央演算処理装置であるＣＰＵ３０と、読出専用メモリであるＲＯＭ３２と、随時書込読出メモリであるＲＡＭ３４とを、備えて構成されている。すなわち、制御部１４は、ＲＡＭ３４の一時記憶機能を利用しつつＲＯＭ３２に記憶された情報に基づいてＣＰＵ３０により種々の情報処理を実行する所謂マイクロコンピュータであり、表示制御部２６を介してタッチパネルディスプレイ１２（表示装置２２）に所定の画像を表示させる画像表示制御、そのタッチパネルディスプレイ１２（タッチパネル２４）への接触操作に応じて入力制御部２８を介して入力される入力信号を処理する入力処理制御、及び通信インターフェイス１８を介して他の機器との間で情報の送受信を行う情報通信制御等、画像表示装置１０に関する各種制御に加えて、後述する本実施例の共有表示制御や描画制御（手書き入力制御）等を実行する。
【００２２】
通信インターフェイス１８は、例えば画像表示装置１０を無線により或いは有線接続にてＬＡＮ４２に接続するＬＡＮインターフェイスである。画像表示装置１０は、この通信インターフェイス１８によりＬＡＮ４２に接続されることで、そのＬＡＮ４２を介して他の画像表示装置１０との間で情報の通信が可能とされる。ここで、他の画像表示装置１０とは、図２に示す画像表示装置１０と等価な構成を備えた別の装置であるが、例えば表示装置２２の画面サイズが異なるものや、他の形式の端末（ハードウェア）に後述する図３に示す制御機能が備えられることにより実質的に本実施例の画像表示装置１０と同等の機能を有するものも含む。すなわち、画像表示装置１０は、通信インターフェイス１８によりＬＡＮ４２に接続されることで、例えばパーソナルコンピュータ４０や図示しない携帯電話機或いは携帯式情報端末等の他の機器（外部装置）との間で情報の通信が可能とされる。また、好適には、ＬＡＮ４２は図示しないルータ等を介して公衆電話回線、ＡＤＳＬ回線、或いは光ファイバ回線等から構成されるＷＷＷ（World Wide Web）等のインターネットに接続可能とされ、画像表示装置１０とインターネットに接続された他の機器との間での通信が可能とされたものである。なお、通信インターフェイス１８は、ＵＳＢ（Universal Serial Bus）やブルートゥース（Bluetooth）等のローカルなネットワークを介して画像表示装置１０を周辺機器に接続するものであってもよく、通信態様としては種々の構成が適宜用いられる。
【００２３】
記憶部１６又はＲＡＭ３４には、表示情報データベース３６及び入力情報データベース３８をはじめとする各種データベースが設けられている。なお、本実施例においては、表示情報データベース３６及び入力情報データベース３８が何れも記憶部１６に備えられた態様について説明する。
【００２４】
表示情報データベース３６には、表示制御部２６を介してタッチパネルディスプレイ１２（表示装置２２）に表示される複数の表示情報が記憶される。この表示情報は、後述する共有表示手段５２による共有表示制御における基礎（資料情報）として用いることが可能な情報であり、例えば、表示装置２２に所定の画像を表示させるための画像情報として、ＪＰＥＧ（Joint Photographic Experts Group）、ＰＮＧ（Portable Network Graphics）、ＧＩＦ（Graphics Interchange Format）等のファイル形式の複数の画像データ（画像ファイル）が、それぞれの識別情報（ファイル名）をインデックスとして記憶される。なお、表示装置２２は、静止画像のみならず動画を表示させるものであってもよく、画像データベースに記憶される画像情報は、静止画若しくは動画の何れであってもよい。また、表示情報データベース３６には、ＰＤＦ（Portable Document Format）形式のドキュメントファイルや、Ｅｘｃｅｌ（登録商標）形式のワークシートファイル等、各種電子文書ファイルがそれぞれの識別情報（ファイル名）をインデックスとして記憶される。すなわち、表示情報データベース３６は、換言すれば、画像表示装置１０に表示される画像乃至電子文書ファイルを記憶する画像乃至電子文書ファイルデータベースである。また、入力情報データベース３８には、操作部としてのタッチパネル２４により入力された手書き入力情報が記録される。この入力情報データベース３８については、図３に示す入力受付手段５０の動作に関して以下に詳述する。
【００２５】
図３は、画像表示装置１０の制御部１４に備えられた制御機能の要部を説明する機能ブロック線図である。この図３に示す入力受付手段５０は、表示装置２２の表示領域に対する位置の要素を有する入力情報をタッチパネル２４により受け付け、入力情報データベース３８に記録する。好適には、タッチパネル２４により入力されたストローク情報に係る座標情報を取得し、その座標情報を入力情報データベース３８に記録する。この座標情報とは、表示装置２２の表示領域全体に対する相対位置を示す座標（横方向をｘ、縦方向をｙとするｘｙ二次元座標）であり、本実施例においては表示装置２２の画面と共通の入力面を有するタッチパネル２４における入力部位（接触入力に係る位置）の入力面全体に対する相対位置の座標に相当する。
【００２６】
画像表示装置１０においては、操作入力装置としてのタッチパネル２４の平面部（タッチパネルディスプレイ１２の表面）に対する接触操作に応じて描画されるストローク情報（軌跡情報）の入力が可能とされている。すなわち、タッチパネル２４の平面部に対してペン２０等を接触させた状態でその接触部位を移動させる操作（以下、接触移動操作と言う）により、自由曲線や直線等を組み合わせた所謂手書き入力（フリードロー）が可能とされている。すなわち、上記ストローク情報は、操作部としてのタッチパネル２４に対する接触移動操作により入力される自由曲線や直線等を組み合わせた描画（オブジェクト）に相当するものであり、表示装置２２に表示される描画としての手書き入力情報である。また、本実施例においてストローク情報という場合、１ストローク分の入力情報すなわちタッチパネル２４に対する接触移動操作が開始されてから（タッチパネル２４に対して入力子の接触が行われてから）、その接触移動操作が終了させられるまで（タッチパネル２４から入力子が離されるまで）の入力情報をいうものとする。
【００２７】
図４は、入力情報データベース３８に記憶される情報の一例を示す図である。入力受付手段５０は、好適には、単位となる各ストローク情報の入力過程において、タッチパネル２４に対する接触移動操作に対応する各座標（タッチパネル２４の平面部全体に対する相対的な座標）を例えば所定時間毎に取得（サンプリング）し、そのように所定時間毎に取得手段５０により取得される座標を各ストローク情報に対応する座標情報として入力情報データベース３８に識別情報であるＩＤ（ストロークＮｏ．）を付して記憶する。例えば、図４に示すように、ストロークＮｏ．ａのストローク情報について、第１サンプリング点に対応する座標（ｘ，ｙ）＝（６０，７０）、第２サンプリング点に対応する座標（ｘ，ｙ）＝（５７，５５）、第３サンプリング点に対応する座標（ｘ，ｙ）＝（６０，５０）、・・・といったように、所定時間毎にサンプリングされた座標情報が取得順（サンプリングされた順）に記録される。また、各ストローク情報毎にそのストローク情報を入力した画像表示装置１０のＩＤが対応付けられて記憶される。このＩＤについては、図３に示す共有表示手段５２による共有表示制御に関して後述する。なお、入力受付手段５０は、各ストローク情報の入力過程において、タッチパネル２４による接触移動操作の移動距離に関して所定距離毎にサンプリングを行うものであってもよい。すなわち、タッチパネル２４により予め定められた所定距離の接触移動操作が行われる毎に座標情報の取得を行うものであってもよい。また、サンプリングされた各座標における接触移動操作の指向する方向すなわちベクトルを取得し、各座標に対応付けて記録する態様も考えられる。
【００２８】
図５は、入力情報データベース３８に記憶される情報に対応してＲＡＭ３４に一時的に記憶される情報を例示する図である。入力情報データベース３８には、自機におけるタッチパネル２４を介しての入力操作により入力された入力情報のみならず、通信部としての通信インターフェイス１８を介して他の画像表示装置１０から受信された入力情報も記憶される。すなわち、以下に詳述する共有表示手段５２による共有表示制御において、ＬＡＮ４２により相互に接続された複数の画像表示装置１０それぞれにおけるタッチパネル２４を介しての入力操作により入力された入力情報が通信インターフェイス１８を介して受信され、入力情報データベース３８に記憶されるように構成されている。ここで、他の画像表示装置１０から受信された入力情報は、例えば図５に示すようにＲＡＭ３４等に一時的に記憶され、後述する距離判定手段５６による判定乃至共有表示手段５２による表示タイミングの遅延制御等が行われた（非実行とされる場合もある）後、図４を用いて上述した入力情報データベース３８に記憶される。
【００２９】
図３に示す共有表示手段５２は、入力受付手段５０により入力された入力情報を通信インターフェイス１８を介して他の画像表示装置１０をはじめとする他の機器との間で共有し、表示装置１０にその入力情報を共有表示させる。好適には、単一の画像表示装置１０における表示情報データベース３６から供給された表示情報を複数の画像表示装置１０における表示装置２２に共有表示させると共に、その表示情報を基礎として入力情報の共有表示を行う。ここで、共有表示手段５２による共有表示制御に係る機器としては、他の画像表示装置１０のみならず共有表示手段５２と等価な制御手段を備えたパーソナルコンピュータ４０や携帯電話機或いは携帯式情報端末等も適用され得るが、本実施例においては、ＬＡＮ４２により接続された複数の画像表示装置１０相互間における共有表示制御について説明する。
【００３０】
図６は、本実施例の共有表示制御において画像表示装置１０のタッチパネルディスプレイ１２（表示装置２２）に表示情報としての電子文書６０が表示された様子を説明する図である。この図６に示す電子文書６０は、例えば企画のプレゼンテーションに用いられるドキュメントファイルに対応するものであり、テキスト情報及び画像情報を含んで構成されている。本実施例の共有表示手段５２は、例えば３拠点以上の画像表示装置１０による遠隔会議システムを実現するものである。すなわち、本実施例の共有表示制御では、ホスト（説明者）である単一の画像表示装置１０における表示情報データベース３６から共有表示制御の資料情報（遠隔会議のベース）となる表示情報が読み出され、通信インターフェイス１８及びＬＡＮ４２等を介してゲスト（聴講者）である複数の画像表示装置１０へ供給される。そして、そのようにして供給された表示情報が各画像表示装置１０のタッチパネルディスプレイ１２（表示装置２２）に表示されることで、共有表示制御に係る全ての画像表示装置１０に図６に示すような共通の画面が表示される。なお、斯かる共有表示制御においては、各画像表示装置１０に識別情報としてのＩＤが設定される。或いは、各画像表示装置１０毎に予め定められた識別情報としてのＩＤをもって本実施例の共有表示制御システムへのログインが行われる。
【００３１】
図７は、本実施例の共有表示制御において図６に示す電子文書６０に手書き入力によるストローク情報６２が上書きされる様子を説明する図である。本実施例の共有表示制御に係る所定の画像表示装置１０においてタッチパネル２４を介しての手書き入力操作が行われた場合、入力受付手段５０によりその手書き入力操作に対応する入力情報すなわち図７に示すようなストローク情報６２の入力が受け付けられ、図５に示すような座標情報がＲＡＭ３４に記憶される。そして、そのストローク情報６２に対応する座標情報が通信インターフェイス１８及びＬＡＮ４２等を介して共有表示制御に係る複数の画像表示装置１０に送信される。そのようにして送信されたストローク情報６２が各画像表示装置１０のタッチパネルディスプレイ１２（表示装置２２）に表示されることで、共有表示制御に係る全ての画像表示装置１０に図７に示すような共通のストローク情報６２が表示される。換言すれば、本実施例の共有表示制御に係る複数の画像表示装置１０の何れかにおいて手書き入力操作が行われた場合、基本的には、その手書き入力操作に対応するストローク情報６２が共有表示制御に係る全ての画像表示装置１０における電子文書６０に同期して（リアルタイムで）上書きされる。
【００３２】
図３に示す入力判定手段５４は、共有表示手段５２の共有表示に係る入力情報が自機における入力受付手段５０により入力されている際に、他の画像表示装置１０から共有表示手段５２の共有表示に係る入力情報の入力があったか否かを判定する。すなわち、自機におけるタッチパネル２４に対する接触移動操作が実行中である場合に、通信インターフェイス１８を介して共有表示制御に係る他の画像表示装置１０からその共有表示に係る入力情報（例えば、ストローク情報６２に対応する座標情報）が受信されたか否かを判定する。ここで、自機における入力受付手段５０により入力情報の入力中であるか否かの判定は、必ずしもタッチパネル２４に対する接触移動操作が継続されているか否かを判定するものでなくともよく、例えば、タッチパネル２４に対する接触操作が予め定められた規定時間（例えば、数秒程度）以上行われなかった場合に、自機における入力受付手段５０により入力情報の入力中ではないと判定する一方、それ以外の場合には入力情報の入力中であると判定するものであってもよい。
【００３３】
図３に示すように、入力判定手段５４は距離判定手段５６を含んでいる。この距離判定手段５６は、入力判定手段５４の判定が肯定される場合に、他の画像表示装置１０から入力された入力情報と、自機における入力受付手段５０により入力されている入力情報との表示装置２２の表示領域に関する相対距離が、予め定められた閾値未満であるか否かを判定する。好適には、他の画像表示装置１０から入力された入力情報すなわち通信インターフェイス１８を介して受信された図５に示すような座標情報と、自機における入力受付手段５０によりその時点において入力されている入力情報に対応する座標情報との相対距離が、予め定められた閾値未満であるか否かを判定する。
【００３４】
図８は、距離判定手段５６による判定に係る他の画像表示装置１０から受信された座標情報（受信データ）Ｂと、自機において入力されている入力情報に対応する座標情報（自機書込）Ａとの相対距離について説明する図である。画像表示装置１０のタッチパネル２４により接触入力操作が行われている場合、その時点における入力情報は所定の座標すなわちタッチパネル２４における入力部位（接触入力に係る位置）の入力面全体に対する相対位置の座標に対応するものとなる。従って、所定時点での自機における入力受付手段５０により入力されている入力情報Ａ及び他の画像表示装置１０から入力された入力情報Ｂは、それぞれ表示装置２２の表示領域に対する所定の座標として定まる。ここで、図９に示すように、自機による書込が座標Ａ＝（ａ，ｂ）に対応し、他の画像表示装置１０からの受信データが座標Ｂ＝（ｃ，ｄ）に対応する場合、それら座標Ａ、Ｂの相対距離ｄｉｓは次の（１）式により算出される。
【００３５】
ｄｉｓ＝｛（ｃ−ａ）2＋（ｄ−ｂ）2｝1/2  ・・・（１）
【００３６】
共有表示手段５２は、距離判定手段５６の判定が肯定される場合すなわち他の画像表示装置１０から入力された入力情報と、自機における入力受付手段５０により入力されている入力情報との表示装置２２の表示領域に関する相対距離が、予め定められた閾値未満であると判定される場合には、他の画像表示装置１０から入力された入力情報を表示装置２２における共有表示に反映する表示タイミングを遅延させる。好適には、自機における入力受付手段５０による入力情報の入力が終了するまでその入力情報を表示装置２２における共有表示に反映する表示タイミングを遅延させる。換言すれば、他の画像表示装置１０から入力情報が受信された場合であっても、距離判定手段５６の判定が肯定される場合には、その入力情報を自機における表示装置２２の共有表示には反映せず、自機における入力受付手段５０による入力情報の入力が終了した段階で初めてその入力情報を自機における表示装置２２の共有表示に反映する制御を行う。この表示タイミングの遅延制御の対象としては、他の画像表示装置１０から入力された入力情報のうち距離判定手段５６の判定が肯定される部分すなわち後述する図１１等にハッチングで示す範囲に入った部分のみの表示を遅延させる（非表示とする）ものであってもよいし、入力情報全体（例えば、１ストローク分のストローク情報全体）の表示を遅延させるものであってもよい。
【００３７】
図１０は、共有表示手段５２による表示タイミングの遅延制御の概略を説明する図であり、ホスト１拠点及びゲスト２拠点の３拠点遠隔会議システムを例示している。この図１０に示す例においては、共有表示に係る表示情報としての電子文書６０を提供した単一の画像表示装置１０すなわちホスト（説明者）における接触移動操作に対応してストローク情報６２が入力されるのと同期して、電子文書６０を提供した単一の画像表示装置１０ではない画像表示装置１０すなわちゲスト（聴講者）Ａにおける接触移動操作に対応してストローク情報６４が入力されている。ここで、ホストである画像表示装置１０による入力に係るストローク情報６２とゲストＡである画像表示装置１０による入力に係るストローク情報６４との距離が近く、距離判定手段５６によりそれらの相対距離が予め定められた閾値未満であると判定される。この場合、ホストである画像表示装置１０による入力に係るストローク情報６２は、ゲストＡである画像表示装置１０における共有表示にリアルタイムで反映されるが、ゲストＡである画像表示装置１０による入力に係るストローク情報６４は、ホストである画像表示装置１０による入力操作が終了するまでそのホストである画像表示装置１０における共有表示に反映されない。一方、ゲストＢである画像表示装置１０においては、ホストである画像表示装置１０による入力に係るストローク情報６２及びゲストＡである画像表示装置１０による入力に係るストローク情報６４が何れもリアルタイムで共有表示に反映される。
【００３８】
ここで、共有表示手段５２は、好適には、図３に示すように仮表示手段５３を含んでいる。この仮表示手段５３は、共有表示手段５２により他の画像表示装置１０から入力された入力情報を表示装置２２における共有表示に反映する表示タイミングを遅延させる制御が行われている間に、その入力情報に対応して設定された表示態様とは異なる態様で表示装置２２においてその入力情報の仮表示を行う。換言すれば、表示装置２２において対象となる入力情報に対応する本来の表示とは態様の異なる仮表示を実行する。例えば、表示タイミングの遅延が行われている入力情報に関して、予め設定された規定の書式情報（例えば、線色、線幅、及び線種）に対応する本来の表示よりも線色が淡い（例えば、本来の線色が黒である場合にそれよりも淡い灰色）或いは透明度が高い（例えば、透明度２０〜５０％程度）のストローク情報を表示させる、本来の線幅よりも細いストローク情報を表示させる、或いは本来の線種とは異なる破線のストローク情報を表示させるといったように、他の画像表示装置１０から入力された入力情報に対応して、自機による入力に係るストローク情報の視認を阻害しない仮表示を実行する。
【００３９】
共有表示手段５２は、好適には、距離判定手段５６の判定が肯定される場合における表示タイミングの遅延制御を、自機が前記表示情報を供給する単一の画像表示装置１０である場合に実行する一方、自機がその単一の画像表示装置１０ではない場合には非実行とする。すなわち、共有表示に係る表示情報を提供したホストとしての画像表示装置１０においてのみ共有表示手段５２による表示タイミングの遅延制御を実行し、ゲストとしての画像表示装置１０においては斯かる共有表示手段５２による表示タイミングの遅延制御を実行しない。換言すれば、自機が前記表示情報を供給する単一の画像表示装置１０ではない場合には、距離判定手段５６の判定が肯定される場合であっても、他の画像表示装置１０から受信された入力情報をリアルタイムで共有表示手段５２による共有表示に反映させる。
【００４０】
また、距離判定手段５６は、他の画像表示装置１０から入力された入力情報と、自機における入力受付手段５０により入力されている入力情報との表示装置２２の表示領域に関する相対距離が、予め定められた閾値未満であるか否かの判定に係る入力情報のうち先に入力された入力情報が表示情報を供給する単一の画像表示装置１０すなわちホストからの入力情報である場合には、その単一の画像表示装置１０からの入力情報ではない場合よりも前記閾値を大きくする。換言すれば、共有表示手段５２による共有表示制御において同期して入力される２つの入力情報に係る距離判定手段５６による判定に関して、先に入力された入力情報がホストである画像表示装置１０からの入力によるものであるか否かに応じてその判定に係る閾値を変更する。好適には、先に入力された入力情報がホストである画像表示装置１０からの入力によるものである場合には比較的大きな第１の閾値を、先に入力された入力情報がホストである画像表示装置１０からの入力によるものではない場合すなわちゲストである画像表示装置１０からの入力によるものである場合には比較的小さな第２の閾値を選択し、各閾値に基づいて距離判定手段５６による判定を行う。
【００４１】
図１１〜図１３は、共有表示手段５２による共有表示制御において、ホストである画像表示装置１０による書き込みが先に行われ、それに続いてゲストＡである画像表示装置１０による書き込みが行われた場合における距離判定手段５６による判定乃至表示タイミングの遅延制御について説明する図であり、図１１がホストである画像表示装置１０の動作、図１２がゲストＡである画像表示装置１０の動作、図１３がゲストＢである画像表示装置１０の動作を、共通の時点Ｔ１、Ｔ２、Ｔ３、Ｔ４の時系列で示している。
【００４２】
先ず、時点Ｔ１において、ホストである画像表示装置１０による入力操作が行われ、その入力操作に係るストローク情報６２が全ての画像表示装置１０における共有表示に反映される。好適には、このストローク情報６２の書き込み開始時にその開始時間が入力情報データベース３８にそのストローク情報６２と対応付けられて記憶される。この時点Ｔ１では、ホストである画像表示装置１０以外の画像表示装置１０においては書き込みが行われていない。
【００４３】
次に、時点Ｔ２において、ゲストＡである画像表示装置１０によるストローク情報６６の入力操作が開始される。この時点Ｔ２では、ホストである画像表示装置１０による入力操作が継続して行われており、その入力操作に係るストローク情報６２及びゲストＡである画像表示装置１０による入力操作に係るストローク情報６６に関して距離判定手段５６による判定が行われる。図１１においては、ホストである画像表示装置１０による入力操作に対応して距離判定手段５６による判定が肯定される範囲（以下、遅延制御範囲という）をハッチングで示している。このハッチングで示す円形範囲の半径が距離判定手段５６による判定に係る閾値に対応し、その範囲内がゲストである画像表示装置１０からの入力情報が即時的に反映されないエリアに相当する。すなわち、タッチパネル２４に対する入力子の接触座標を中心とする半径ｒ（＝閾値）の範囲内において、他の画像表示装置１０からの入力情報の表示タイミングが遅延させられる。ここで、ゲストＡである画像表示装置１０による入力操作に係るストローク情報６６は、ホストである画像表示装置１０による入力操作に対応する遅延制御範囲に入らないため、ストローク情報６２及び６６に関して距離判定手段５６による判定は否定される。従って、ストローク情報６６の入力はホストである画像表示装置１０及びゲストＢである画像表示装置１０の共有表示にリアルタイムで反映される。
【００４４】
次に、時点Ｔ３において、ゲストＡである画像表示装置１０によるストローク情報６４の入力操作が開始される。この時点Ｔ３では、ホストである画像表示装置１０による入力操作が継続して行われており、その入力操作に係るストローク情報６２及びゲストＡである画像表示装置１０による入力操作に係るストローク情報６４に関して距離判定手段５６による判定が行われる。ここで、ゲストＡである画像表示装置１０による入力操作に係るストローク情報６４は、ホストである画像表示装置１０による入力操作に対応する遅延制御範囲に入るため、ストローク情報６２及び６４に関して距離判定手段５６による判定は肯定される。従って、ストローク情報６４の入力はホストである画像表示装置１０の共有表示には反映されず、その表示タイミングが遅延させられる一方、ゲストＢである画像表示装置１０の共有表示にリアルタイムで反映される。
【００４５】
次に、時点Ｔ４において、ホストである画像表示装置１０による入力操作が終了させられる。例えば、タッチパネル２４に対する接触操作が予め定められた規定時間以上行われないことが判定される。この時点で初めてゲストＡである画像表示装置１０による入力操作がホストである画像表示装置１０の共有表示に反映され、他の画像表示装置１０と同様にストローク情報６４が表示（描画）される。このような表示タイミングの遅延制御により、ホストである画像表示装置１０における利用者が主体的に説明を行っている場合において、説明に係る情報に他の画像表示装置１０からの入力情報が重複して表示されることを好適に抑制することができる。
【００４６】
図１４〜図１６は、共有表示手段５２による共有表示制御において、ゲストＡである画像表示装置１０による書き込みが先に行われ、それに続いてホストである画像表示装置１０による書き込みが行われた場合における距離判定手段５６による判定乃至表示タイミングの遅延制御について説明する図であり、図１４がホストである画像表示装置１０の動作、図１５がゲストＡである画像表示装置１０の動作、図１６がゲストＢである画像表示装置１０の動作を、共通の時点Ｔ５、Ｔ６、Ｔ７、Ｔ８の時系列で示している。
【００４７】
先ず、時点Ｔ５において、ゲストＡである画像表示装置１０による入力操作が行われる。この時点Ｔ５では、ゲストＡである画像表示装置１０以外の画像表示装置１０においては書き込みが行われておらず、ホストである画像表示装置１０による入力操作は行われていないため、ゲストＡの入力操作に係るストローク情報６２はホストである画像表示装置１０を含め全ての画像表示装置１０における共有表示に反映される。
【００４８】
次に、時点Ｔ６において、ホストである画像表示装置１０によるストローク情報６８の入力操作が開始される。好適には、このストローク情報６８の書き込み開始時にその開始時間が入力情報データベース３８にそのストローク情報６８と対応付けられて記憶される。この時点Ｔ６では、ゲストＡである画像表示装置１０による入力操作が継続して行われており、その入力操作に係るストローク情報６２及びホストである画像表示装置１０による入力操作に係るストローク情報６８に関して距離判定手段５６による判定が行われる。図１４においては、ホストである画像表示装置１０による入力操作に対応する遅延制御範囲をハッチングで示している。ここで、図１４〜１６では、ゲストＡである画像表示装置１０による書き込みが先に行われ、それに続いてホストである画像表示装置１０による書き込みが行われた場合における動作を示しているため、距離判定手段５６による判定に係る閾値はホストである画像表示装置１０による書き込みが先に行われ、それに続いてゲストである画像表示装置１０による書き込みが行われた場合よりも小さくなり、遅延制御範囲に対応する円は図１１に示すものよりも小さくなる。ここで、ゲストＡである画像表示装置１０による入力操作に係るストローク情報６２は、ホストである画像表示装置１０による入力操作に対応する遅延制御範囲に入らないため、ストローク情報６２及び６８に関して距離判定手段５６による判定は否定される。従って、ストローク情報６２の入力はホストである画像表示装置１０及びゲストＢである画像表示装置１０の共有表示にリアルタイムで反映される。
【００４９】
次に、時点Ｔ７において、ゲストＡである画像表示装置１０によりストローク情報７０の入力が行われる。ここで、このストローク情報７０の入力操作は、ストローク情報６２の入力操作に継続して（タッチパネル２４から入力子を離さなかった場合のみならず、ストローク情報６２の入力完了後所定時間内にストローク情報７０の入力が開始された場合を含む）行われているため、依然としてゲストＡである画像表示装置１０による書き込みが先に行われ、それに続いてホストである画像表示装置１０による書き込みが行われた場合に該当する。この時点Ｔ７では、ホストである画像表示装置１０によるストローク情報６８の入力操作が継続して行われており、そのストローク情報６８及びゲストＡである画像表示装置１０による入力操作に係るストローク情報７０に関して距離判定手段５６による判定が行われる。ここで、ゲストＡである画像表示装置１０による入力操作に係るストローク情報７０は、ホストである画像表示装置１０による入力操作に対応する遅延制御範囲に入るため、ストローク情報６８及び７０に関して距離判定手段５６による判定は肯定される。従って、ストローク情報７０の入力はホストである画像表示装置１０の共有表示には反映されず、その表示タイミングが遅延させられる一方、ゲストＢである画像表示装置１０の共有表示にリアルタイムで反映される。
【００５０】
次に、時点Ｔ８において、ホストである画像表示装置１０による入力操作が終了させられる。例えば、タッチパネル２４に対する接触操作が予め定められた規定時間以上行われないことが判定される。この時点で初めてゲストＡである画像表示装置１０による入力操作がホストである画像表示装置１０の共有表示に反映され、他の画像表示装置１０と同様にストローク情報７０が表示（描画）される。このような表示タイミングの遅延制御により、ホストである画像表示装置１０における利用者が主体的に説明を行っている場合において、説明に係る情報に他の画像表示装置１０からの入力情報が重複して表示されることを好適に抑制することができる。
【００５１】
図１７は、画像表示装置１０の制御部１４による共有表示制御の要部を説明するフローチャートであり、所定の周期で繰り返し実行されるものである。
【００５２】
先ず、ステップ（以下、ステップを省略する）Ｓ１において、他端末すなわち他の画像表示装置１０から共有表示制御に係る入力情報の入力（受信）があったか否かが判断される。このＳ１の判断が否定される場合には、Ｓ１の判断が繰り返されることにより待機させられるが、Ｓ１の判断が肯定される場合には、Ｓ２において、他の画像表示装置１０から入力情報が受信された時間に係る受信時間情報が取得される。この受信時間情報は、例えば「時間／分／秒／ミリ秒」の形式で「０５／０５／０５／０５」といった態様で取得される。次に、Ｓ３において、受信データすなわち他の画像表示装置１０から受信された入力情報が読み込まれる。
【００５３】
次に、Ｓ４において、共有表示制御に係る入力情報が自機におけるタッチパネル２４により入力されているか否かが判断される。このＳ４の判断が否定される場合には、Ｓ７以下の処理が実行されるが、Ｓ４の判断が肯定される場合には、Ｓ５において、自機が情報提供者すなわち共有表示制御に係る表示情報を提供した単一の画像表示装置１０（ホスト）であるか否かが判断される。このＳ５の判断が否定される場合には、Ｓ７以下の処理が実行されるが、Ｓ５の判断が肯定される場合には、ＳＡにおいて、図１８に示す描画演算処理が実行された後、Ｓ６において、受信データが所定範囲内であるか否か、すなわち他の画像表示装置１０から入力された入力情報と、自機におけるタッチパネル２４により入力されている入力情報との表示装置２２の表示領域に関する相対距離が、予め定められた閾値未満であるか否かが判断される。例えば、図１８に示すＳＡ８にて算出される差分が０未満であればＳ６の判定が肯定され、差分が０以上であればＳ６の判定が否定される。このＳ６の判断が肯定される場合には、Ｓ９以下の処理が実行されるが、Ｓ６の判断が否定される場合には、Ｓ７において、入力情報データベース３８に記憶された情報に基づいて共有表示制御に係る画像（表示画面）の作成処理が実行される。次に、Ｓ８において、Ｓ７にて作成された画像が表示装置２２に表示される描画処理が実行された後、本ルーチンが終了させられる。
【００５４】
Ｓ９においては、受信データすなわち他の画像表示装置１０から受信された入力情報が図５に示すような態様でＲＡＭ３４等に一時的に保存される。次に、Ｓ７′において、Ｓ９にて一時的に保存された入力情報に基づいて、その入力情報の本来の表示とは態様の異なる仮表示に対応する画像（仮表示画像）の作成処理が実行される。次に、Ｓ８′において、Ｓ７′にて作成された仮表示画像が表示装置２２に表示される描画処理が実行される。次に、Ｓ１０において、他の画像表示装置１０から受信された入力情報が連続するストロークであるか否かが判断される。この連続するストロークであるか否かの判断は、例えば、入力主体である画像表示装置１０のＩＤが同一であり且つ所定時間（例えば、２５０ミリ秒内）に受信された座標情報であるか否かに基づいて行われる。このＳ１０の判断が肯定される場合には、連続するストロークであるため既に入力終了を検出するプロセスが動いているものと判断されるため、それをもって本ルーチンが終了させられるが、Ｓ１０の判断が否定される場合には、Ｓ１１において、自機におけるタッチパネル２４による入力情報の入力が終了したか否かが判断される。このＳ１１の判断が否定されるうちは、Ｓ１１の判断が繰り返されることにより待機させられるが、Ｓ１１の判断が肯定される場合には、Ｓ１２において、連続ストロークすなわちＲＡＭ３４等に一時記憶されていた他の画像表示装置１０から受信された入力情報が読み出されると共に、入力情報データベース３８に記憶される。次に、Ｓ１３において、Ｓ１２にて読み出された受信データがＲＡＭ３４等から削除された後、Ｓ７以下の処理が実行される。
【００５５】
図１８は、図１７のＳＡにおける描画演算制御の要部を説明するフローチャートである。先ず、ＳＡ１において、受信データ取得時間すなわち他の画像表示装置１０から入力情報が受信された時間が取得される。次に、ＳＡ２において、受信データすなわち他の画像表示装置１０から受信された入力情報が取得される。この入力情報は、例えば（端末ＩＤ，ｘ座標，ｙ座標）の形式で（１，１，１）といった態様で取得される。次に、ＳＡ３において、入力開始時間すなわち自機におけるタッチパネル２４により入力情報の入力が開始された時間が保存（取得）される。次に、ＳＡ４において、情報提供者すなわち共有表示制御に係る表示情報を提供した単一の画像表示装置１０（ホスト）による書き込み情報（入力情報）が取得される。この入力情報は、例えば（端末ＩＤ，ｘ座標，ｙ座標）の形式で（２，２，２）といった態様で取得される。次に、ＳＡ５において、情報提供者による入力位置と受信データすなわち他の画像表示装置１０から入力された入力情報に対応する入力位置との２点間距離すなわち表示装置２２の表示領域に関する相対距離が算出される。次に、ＳＡ６において、情報提供者による書き込み開始時点は、受信データすなわち他の画像表示装置１０から入力された入力情報の取得時点よりも早いか否かが判断される。このＳＡ６の判断が肯定される場合には、ＳＡ７において、比較的大きい第１の所定値（＞第２の所定値）が２点間距離の判定に係る閾値として設定された後、ＳＡ８以下の処理が実行されるが、ＳＡ６の判断が否定される場合には、ＳＡ９において、比較的小さい第２の所定値（＜第１の所定値）が２点間距離の判定に係る閾値として設定された後、ＳＡ８において、ＳＡ７乃至ＳＡ９にて設定された所定値とＳＡ５にて算出された２点間距離との差分処理が行われる。すなわち、ＳＡ７乃至ＳＡ９にて設定された所定値からＳＡ５にて算出された２点間距離が引き算された後、図１７に示すメインルーチンへ復帰させられる。
【００５６】
図１９は、図１７の制御と併行して実行される、画像表示装置１０の制御部１４による共有表示制御に係る入力情報の送信制御の要部を説明するフローチャートであり、所定の周期で繰り返し実行されるものである。
【００５７】
先ず、ＳＳ１において、自機におけるタッチパネル２４による入力操作が検知されたか否かが判断される。このＳＳ１の判断が否定される場合には、ＳＳ１の判断が繰り返されることにより待機させられるが、ＳＳ１の判断が肯定される場合には、ＳＳ２において、入力開始時間情報すなわち自機におけるタッチパネル２４による入力操作が開始された時間がＲＡＭ３４等に保存される。次に、ＳＳ３において、タッチパネル２４による入力操作に係る入力情報が取得される。次に、ＳＳ４において、ＳＳ３にて取得された入力情報が自機の表示装置２２に表示される。次に、ＳＳ５において、ＳＳ３にて取得された入力情報が共有表示制御に係る他の画像表示装置１０へ通信インターフェイス１８及びＬＡＮ４２等を介して送信される。次に、ＳＳ６において、自機におけるタッチパネル２４による入力操作が終了させられたか否か、例えばタッチパネル２４に対する接触操作が予め定められた規定時間以上行われなかったか否かが判断される。このＳＳ６の判断が否定される場合には、ＳＳ３以下の処理が再び実行されるが、ＳＳ６の判断が肯定される場合には、ＳＳ７において、ＲＡＭ３４等に保存された入力開始時間情報が削除された後、本ルーチンが終了させられる。
【００５８】
以上の制御において、ＳＳ３が入力受付手段５０の動作乃至入力受付過程に、Ｓ１〜Ｓ１３が共有表示手段５２の動作乃至共有表示過程に、Ｓ７′及びＳ８′が仮表示手段５３の動作に、Ｓ１が入力判定手段５４の動作乃至入力判定過程に、Ｓ６が距離判定手段５６の動作乃至距離判定過程にそれぞれ対応する。
【００５９】
このように、本実施例によれば、表示部としての表示装置２２の表示領域に対する位置の要素を有する入力情報を操作部としてのタッチパネル２４により受け付ける入力受付手段５０（ＳＳ３）と、その入力受付手段５０により入力された入力情報を通信部としての通信インターフェイス１８を介して他の画像表示装置１０との間で共有し、表示装置２２にその入力情報を共有表示させる共有表示手段５２（Ｓ１〜Ｓ１３）と、その共有表示手段５２の共有表示に係る入力情報が自機における入力受付手段５０により入力されている際に、他の画像表示装置１０から共有表示手段５２の共有表示に係る入力情報の入力があったか否かを判定する入力判定手段５４（Ｓ１）と、その入力判定手段５４の判定が肯定される場合に、他の画像表示装置１０から入力された入力情報と、自機における入力受付手段５０により入力されている入力情報との表示装置２２の表示領域に関する相対距離が、予め定められた閾値未満であるか否かを判定する距離判定手段５６とを、備え、共有表示手段５２は、その距離判定手段５６の判定が肯定される場合には、他の画像表示装置１０から入力された入力情報を表示装置２２における共有表示に反映する表示タイミングを遅延させるものであることから、自機において共有表示に係る入力情報の入力を行っている最中に、他の画像表示装置１０において同様に入力情報の入力が行われた場合であっても、表示装置２２における同じ位置にそれらの入力情報が重複して表示されるのを好適に抑制することができる。すなわち、電子会議における説明の利便性を向上させる画像表示装置１０を提供することができる。
【００６０】
また、共有表示手段５２は、距離判定手段５６の判定が肯定される場合には、自機における入力受付手段５０による入力情報の入力が終了するまでその入力情報を表示装置２２における共有表示に反映する表示タイミングを遅延させるものであるため、他の画像表示装置１０による入力情報を好適なタイミングで自機の表示装置２２に表示させることができる。
【００６１】
また、共有表示手段５２は、単一の画像表示装置１０から供給された表示情報を複数の画像表示装置１０における表示装置２２に共有表示させると共に、その表示情報を基礎として入力情報の共有表示を行うものであり、距離判定手段５６は、前記判定に係る入力情報のうち先に入力された入力情報が表示情報を供給する単一の画像表示装置１０からの入力情報である場合には、その単一の画像表示装置１０からの入力情報ではない場合よりも前記閾値を大きくするものであるため、主体的に説明を行う利用者による入力情報の入力が先に行われた場合において、その入力情報に他の画像表示装置１０からの入力情報が重複するのを好適に抑制することができる。
【００６２】
また、入力受付手段５０は、前記入力情報として表示装置２２の表示領域に対する座標の入力を受け付けるものであり、距離判定手段５６は、入力判定手段５０の判定が肯定される場合に、他の画像表示装置１０から入力された入力情報に対応する座標と、自機における入力受付手段５０によりその時点において入力されている入力情報に対応する座標との相対距離が、予め定められた閾値未満であるか否かを判定するものであるため、自機において共有表示に係る入力情報の入力を行っている最中に、他の画像表示装置１０において入力された入力情報が重複して表示されるのを実用的な態様で好適に抑制することができる。
【００６３】
また、共有表示手段５２は、距離判定手段５６の判定が肯定される場合における表示タイミングの遅延制御を、自機が前記表示情報を供給する単一の画像表示装置１０である場合に実行する一方、自機がその単一の画像表示装置１０ではない場合には非実行とするものであるため、主体的に説明を行う利用者による入力情報の入力が行われている場合において、その入力情報に他の画像表示装置１０からの入力情報が重複するのを好適に抑制することができる。
【００６４】
また、共有表示手段５２により他の画像表示装置１０から入力された入力情報を表示装置２２における共有表示に反映する表示タイミングを遅延させる制御が行われている間に、その入力情報に対応して設定された表示態様とは異なる態様で表示装置２２においてその入力情報の仮表示を行う仮表示手段５３（Ｓ７′及びＳ８′）を備えたものであるため、自機において共有表示に係る入力情報の入力を行っている最中に、他の画像表示装置１０において同様に入力情報の入力が行われた場合に、その入力情報の色を淡くして表示させたり、線幅を細くする或いは破線にする等の態様の変更を行った仮表示を実行することで、自機における入力情報の視認性を確保しつつ他の画像表示装置１０からの入力情報を一応確認することができる。
【００６５】
また、本実施例によれば、表示装置２２の表示領域に対する位置の要素を有する入力情報をタッチパネル２４により受け付ける入力受付過程（ＳＳ３）と、その入力受付過程において入力された入力情報を通信インターフェイス１８を介して他の画像表示装置１０との間で共有し、表示装置２２にその入力情報を共有表示させる共有表示過程（Ｓ１〜Ｓ１３）と、その共有表示過程の共有表示に係る入力情報が自機に係る入力受付過程において入力されている際に、他の画像表示装置１０から共有表示過程の共有表示に係る入力情報の入力があったか否かを判定する入力判定過程（Ｓ１）と、その入力判定過程の判定が肯定される場合に、他の画像表示装置１０から入力された入力情報と、自機における入力受付過程において入力されている入力情報との表示装置２２の表示領域に関する相対距離が、予め定められた閾値未満であるか否かを判定する距離判定過程（Ｓ６）とを、含み、共有表示過程は、その距離判定過程の判定が肯定される場合には、他の画像表示装置１０から入力された入力情報を表示装置２２における共有表示に反映する表示タイミングを遅延させるものであることから、自機において共有表示に係る入力情報の入力を行っている最中に、他の画像表示装置１０において同様に入力情報の入力が行われた場合であっても、表示装置２２における同じ位置にそれらの入力情報が重複して表示されるのを好適に抑制することができる。すなわち、電子会議における説明の利便性を向上させる画像表示方法を提供することができる。
【００６６】
また、本実施例によれば、画像表示装置１０における制御部１４を、表示装置２２の表示領域に対する位置の要素を有する入力情報をタッチパネル２４により受け付ける入力受付手段５０、その入力受付手段５０により入力された入力情報を通信インターフェイス１８を介して他の画像表示装置１０との間で共有し、表示装置２２にその入力情報を共有表示させる共有表示手段５２、その共有表示手段５２の共有表示に係る入力情報が自機における入力受付手段５０により入力されている際に、他の画像表示装置１０から共有表示手段５２の共有表示に係る入力情報の入力があったか否かを判定する入力判定手段５４（Ｓ１）、及びその入力判定手段５４の判定が肯定される場合に、他の画像表示装置１０から入力された入力情報と、自機における入力受付手段５０により入力されている入力情報との表示装置２２の表示領域に関する相対距離が、予め定められた閾値未満であるか否かを判定する距離判定手段５６として機能させる画像表示プログラムであり、共有表示手段５２は、その距離判定手段５６の判定が肯定される場合には、他の画像表示装置１０から入力された入力情報を表示装置２２における共有表示に反映する表示タイミングを遅延させるものであることから、自機において共有表示に係る入力情報の入力を行っている最中に、他の画像表示装置１０において同様に入力情報の入力が行われた場合であっても、表示装置２２における同じ位置にそれらの入力情報が重複して表示されるのを好適に抑制することができる。すなわち、電子会議における説明の利便性を向上させる画像表示プログラムを提供することができる。
【００６７】
以上、本発明の好適な実施例を図面に基づいて詳細に説明したが、本発明はこれに限定されるものではなく、更に別の態様においても実施される。
【００６８】
例えば、前述の実施例において、入力受付手段５０、共有表示手段５２、入力判定手段５４、及び距離判定手段５６は、何れも制御部１４に機能的に備えられたものであったが、その一部乃至全部が同等の機能を奏する個別の制御部として制御部１４とは別体に備えられたものであってもよい。また、画像表示装置１０においては、タッチパネルディスプレイ１２の表示制御乃至入力情報処理を行う表示制御部２６及び入力制御部２８が制御部１４とは別体の制御部として備えられたものであったが、これらはその一方乃至両方が制御部１４に機能的に備えられたものであってもよい。
【００６９】
また、前述の実施例において、共有表示手段５２は、共有表示制御に係る各画像表示装置１０の記憶部１６に備えられた入力情報データベース３８に入力情報を記憶するものであったが、例えば、ＬＡＮ４２を介して接続されたパーソナルコンピュータ４０やサーバ等に備えられた記憶装置に各画像表示装置１０の入力操作に係る入力情報を一元的に記憶するものであってもよい。また、共有表示制御に係る実質的な制御機能を斯かるパーソナルコンピュータ４０やサーバ等に設け、前述した複数の画像表示装置１０における共有表示制御をそのパーソナルコンピュータ４０やサーバ等により集中的に制御する態様も考えられる。
【００７０】
また、前述の実施例では、共有表示制御の基礎となる表示情報として図６に示すような電子文書６０を例示したが、斯かる表示情報としては、表示情報データベース３６に記憶された静止画や動画、各種電子文書ファイルのみならず、インターネットによりアクセス可能とされたウェブページ（ウェブサイト）やブログ（blog）等であってもよく、種々の態様が考えられる。
【００７１】
また、前述の実施例では、専らホストである画像表示装置１０すなわち共有表示制御に係る複数の画像表示装置１０に表示情報を提供した単一の画像表示装置１０の表示制御に関して、ゲストである他の画像表示装置１０からの入力情報の表示タイミングを遅延させる制御を行う態様について説明したが、ゲストである画像表示装置１０すなわち表示情報を提供した単一の画像表示装置１０ではない他の画像表示装置１０において、更に別の画像表示装置１０からの入力情報の表示タイミングを遅延させる制御を前述の実施例と同様の処理により行うものであってもよい。また、入力情報の入力を行っていないゲストである画像表示装置１０において受信された入力情報を表示するための制御として、その入力情報の入力を行ったのがホストである画像表示装置１０であるか或いはゲストである画像表示装置１０であるかを判断し、入力領域が重複している場合にはそれらの表示タイミングをずらす処理を行う等の態様も考えられる。このような制御により、入力情報の入力を行っていないゲストである画像表示装置１０において表示される画像を参照しつつ説明を聞いている状態においても、その説明に係る画像を参照し易くなるという利点がある。
【００７２】
また、前述の実施例において、距離判定手段５６は、他の画像表示装置１０からその時点において入力されている入力情報に対応する座標と、自機における入力受付手段５０によりその時点において入力されている入力情報に対応する座標との相対距離が、予め定められた閾値未満であるか否かを判定するものであったが、例えば、他の画像表示装置１０から入力されている１ストローク分のストローク情報に係る座標（ストローク情報に含まれる座標）の平均値と、自機における入力受付手段５０により入力されている１ストローク分のストローク情報に係る座標の平均値との相対距離や、自機における入力受付手段５０により入力された（或いはその時点に至るまで連続して入力された）入力情報と、他の画像表示装置１０からの入力情報との最小距離（相対距離）が、予め定められた閾値未満であるか否かを判定するものであってもよい。
【００７３】
また、前述の実施例では、自機における入力受付手段５０による入力が終了したか否かの判定として、タッチパネル２４に対する接触操作が予め定められた規定時間以上行われなかったか否かが判定されるものであったが、例えば入力が終了したかどうかを判定するためのソフトボタンが表示装置２２に表示され、タッチパネル２４によりそのソフトボタンに対応する位置への接触操作が行われた時点で自機における入力受付手段５０による入力が終了したと判定されるものであってもよい。
【００７４】
また、前述の実施例では、複数の画像表示装置１０相互間における共有表示制御について説明したが、共有表示手段５２による共有表示制御に係る機器としては、他の画像表示装置１０のみならず共有表示手段５２と等価な制御手段を備えたパーソナルコンピュータ４０や携帯電話機或いは携帯式情報端末等も適用され得る。すなわち、単数乃至複数の画像表示装置１０と、パーソナルコンピュータ４０や携帯電話機或いは携帯式情報端末等との間における共有表示制御に前述した本発明が適用されても構わない。
【００７５】
また、前述の実施例では、画像表示機能を有すると共に接触による操作入力装置として機能するタッチパネルディスプレイ１２を備えた画像表示装置１０に本発明が適用された例を説明したが、本発明の画像表示装置は必ずしもタッチパネルディスプレイを備えたものでなくともよく、画像を表示し得るディスプレイを備えた画像表示装置に広く適用されるものである。
【００７６】
また、前述の実施例において、手書き入力に相当するストローク情報の入力操作を受け付ける操作入力装置としてタッチパネル２４を備えた画像表示装置１０について説明したが、例えば、操作入力装置としてマウスを備えた画像表示装置において、そのマウスによる手書き入力操作によって描画されるストローク情報を受け付けるものであってもよい。また、外部装置としてのペンタブレットを接続可能に構成された画像表示装置において、そのペンタブレットによる手書き入力操作によって描画されるストローク情報を受け付けるものであってもよい。
【００７７】
その他、一々例示はしないが、本発明はその趣旨を逸脱しない範囲内において種々の変更が加えられて実施されるものである。
【符号の説明】
【００７８】
１０：画像表示装置、１４：制御部（制御装置）、１８：通信インターフェイス（通信部）、２２：表示装置（表示部）、２４：タッチパネル（操作部）、５０：入力受付手段、５２：共有表示手段、５３：仮表示手段、５４：入力判定手段、５６：距離判定手段、６０：電子文書（表示情報）、６２、６４、６６、６８、７０：ストローク情報（入力情報）
【図１】
2012044423.tif 000003
【図２】
2012044423.tif 000004
【図３】
2012044423.tif 000005
【図４】
2012044423.tif 000006
【図５】
2012044423.tif 000007
【図６】
2012044423.tif 000008
【図７】
2012044423.tif 000009
【図８】
2012044423.tif 000010
【図９】
2012044423.tif 000011
【図１０】
2012044423.tif 000012
【図１１】
2012044423.tif 000013
【図１２】
2012044423.tif 000014
【図１３】
2012044423.tif 000015
【図１４】
2012044423.tif 000016
【図１５】
2012044423.tif 000017
【図１６】
2012044423.tif 000018
【図１７】
2012044423.tif 000019
【図１８】
2012044423.tif 000020
【図１９】
2012044423.tif 000021